(57)【特許請求の範囲】
【請求項１】
撮像素子と、
走査線１本おきに飛越しながら前記撮像素子の上から順に走査して第１フィールドの画像として出力し、次に飛越された走査線を該撮像素子の上から順に走査して第２フィールドの画像として出力することで１フレームの画像を形成する飛越し走査手段と、
走査線を該撮像素子の上から順に走査して１フレームの画像を形成する線順次走査手段と、
被写体に対して発光動作を行う発光手段と、
画像を表示可能な表示手段とを有し、
前記表示手段が、前記飛越し走査手段による撮影を行うときには飛越し走査方式による撮影である旨を表示し、前記線順次走査手段による撮影を行うときには線順次走査方式による撮影である旨を表示する撮像装置であって、
前記表示手段は、前記発光手段による発光動作をともない、前記飛越し走査手段により撮影を行うときは、２回の発光動作が行われる旨を表示し、該発光手段による発光動作をともない、前記線順次走査手段により撮影を行うときは、１回の発光動作が行われる旨を表示し、該発光手段が発光準備期間にあるときは、前記発光動作が行われる旨の表示を発光準備が完了しているときの表示とは異ならせることを特徴とする撮像装置。
【請求項２】
前記表示手段は、前記発光手段が発光準備期間にあるときは、前記発光動作が行われる旨の表示を点滅させることを特徴とする請求項１に記載の撮像装置。
【請求項３】
走査線１本おきに飛越しながら撮像素子の上から順に走査して第１フィールドの画像として出力し、次に飛越された走査線を該撮像素子の上から順に走査して第２フィールドの画像として出力することで１フレームの画像を形成する飛越し走査工程と、
走査線を該撮像素子の上から順に走査して１フレームの画像を形成する線順次走査工程と、
発光手段が被写体に対して発光動作を行う発光工程と、
画像を表示可能な表示工程とを有し、
前記表示工程が、前記飛越し走査工程により撮影を行うときには飛越し走査方式による撮影である旨を表示し、前記線順次走査工程により撮影を行うときには線順次走査方式による撮影である旨を表示する撮像装置の制御方法であって、
前記表示工程は、前記発光工程による発光動作をともない、前記飛越し走査工程により撮影を行うときは、２回の発光動作が行われる旨を表示し、該発光工程による発光動作をともない、前記線順次走査工程により撮影を行うときは、１回の発光動作が行われる旨を表示し、前記発光手段が発光準備期間にあるときは、前記発光動作が行われる旨の表示を発光準備が完了しているときの表示とは異ならせることを特徴とする撮像装置の制御方法。
【請求項４】
前記表示工程は、前記発光手段が発光準備期間にあるときは、前記発光動作が行われる旨の表示を点滅させることを特徴とする請求項３に記載の撮像装置の制御方法。
【発明の詳細な説明】
【０００１】
【発明の属する技術分野】
本発明は、ビデオカメラ等の撮像装置及びこの撮像装置の制御方法に関し、特にビデオカメラが備えるスピードライトの発光の制御に関するものである。
【０００２】
【従来の技術】
現在市販されている画像をテレビジョン信号として記録するビデオカメラには、アナログビデオカメラ（ＨＩ−８方式、ＶＨＳ方式など）、ディジタルビデオカメラ（ＤＶ方式）などがある。
これらのビデオカメラは、通常ＣＣＤを撮像素子として用いて撮影される。従来のビデオカメラでは、動画像をテレビジョン信号として出力するために、図８（ａ）に示されるように露光されたＣＣＤの信号を飛越走査線６０２として走査線１本おきに飛越しながら順に走査して第１フィールドの画像６０１として出力し、次に飛越された走査線６０４を第２フィールドの画像６０３として出力し、１フレームの画像を形成している（Ｉｎｔｅｒｌａｃｅ  Ｓｃａｎ）。
【０００３】
上記の方式において、１フレームの画像を取り込みスチル画像として出力する際、動きの速い画像に対しては、第１、第２フィールドの時間差分の画像の動きだけ走査線１本毎にずれが生じて、画像が乱れる問題が生じるため、最近のディジタルビデオカメラの一部には、図６（ｂ）に示されるように走査線６０６を上から順に走査して１フレームの画像６０５を形成する線順次走査方式（Ｐｒｏｇｒｅｓｓｉｖｅ  Ｓｃａｎ）を用いるものも現れている。
【０００４】
【発明が解決しようとする課題】
現在これらのビデオカメラに付属しているスピードライトのうち、線順次走査を行うビデオカメラに付属するものは、図２（ａ）に示されるように、１フレームに１回の露光中に１回の発光操作を行っている。
このビデオカメラを飛越し走査方式により１フレームの画像をスチル画像として取り込む場合、図２（ｂ）に示されるように、１回の発光操作だけでは、もう一方の第２フィールドの画像には発光操作が行われないため、スチル画像内の１走査線おきに発光操作された画像と発光操作されていない画像が入り交じるため画像が乱れる問題が発生する。
【０００５】
本発明は上記の問題を解決するもので、飛び越し走査方式による画像にスピードライトの照明効果を安定させることを目的とする。
【０００６】
【課題を解決するための手段】
本発明の撮像装置は、撮像素子と、走査線１本おきに飛越しながら前記撮像素子の上から順に走査して第１フィールドの画像として出力し、次に飛越された走査線を該撮像素子の上から順に走査して第２フィールドの画像として出力することで１フレームの画像を形成する飛越し走査手段と、走査線を該撮像素子の上から順に走査して１フレームの画像を形成する線順次走査手段と、被写体に対して発光動作を行う発光手段と、画像を表示可能な表示手段とを有し、前記表示手段が、前記飛越し走査手段による撮影を行うときには飛越し走査方式による撮影である旨を表示し、前記線順次走査手段による撮影を行うときには線順次走査方式による撮影である旨を表示する撮像装置であって、前記表示手段は、前記発光手段による発光動作をともない、前記飛越し走査手段により撮影を行うときは、２回の発光動作が行われる旨を表示し、該発光手段による発光動作をともない、前記線順次走査手段により撮影を行うときは、１回の発光動作が行われる旨を表示し、該発光手段が発光準備期間にあるときは、前記発光動作が行われる旨の表示を発光準備が完了しているときの表示とは異ならせることを特徴とする。
【０００７】
また、本発明の撮像装置の制御方法は、走査線１本おきに飛越しながら撮像素子の上から順に走査して第１フィールドの画像として出力し、次に飛越された走査線を該撮像素子の上から順に走査して第２フィールドの画像として出力することで１フレームの画像を形成する飛越し走査工程と、走査線を該撮像素子の上から順に走査して１フレームの画像を形成する線順次走査工程と、発光手段が被写体に対して発光動作を行う発光工程と、画像を表示可能な表示工程とを有し、前記表示工程が、前記飛越し走査工程により撮影を行うときには飛越し走査方式による撮影である旨を表示し、前記線順次走査工程により撮影を行うときには線順次走査方式による撮影である旨を表示する撮像装置の制御方法であって、前記表示工程は、前記発光工程による発光動作をともない、前記飛越し走査工程により撮影を行うときは、２回の発光動作が行われる旨を表示し、該発光工程による発光動作をともない、前記線順次走査工程により撮影を行うときは、１回の発光動作が行われる旨を表示し、前記発光手段が発光準備期間にあるときは、前記発光動作が行われる旨の表示を発光準備が完了しているときの表示とは異ならせることを特徴とする撮像装置の制御方法。
【０００９】
【発明の実施の形態】
以下、本発明の実施の形態を図面と共に説明する。
図１は、線順次走査による撮影と飛越走査による撮影の切り替えスイッチの状態によって、スピードライトの発光操作の回数を調整するようにした本発明による撮像装置としてのビデオカメラの実施の形態を示すものである。
図１において、１００１はビデオカメラに内蔵されている撮像部であるカメラサブユニットを表わす。このカメラサブユニット１００１では、被写体を撮影するための各種の制御をカメラモードマイコン１０５を用いて以下のように行う。
【００１０】
フォーカスやズームの制御は、ビデオカメラに付属する図示されていないスイッチやダイヤルを動かして、撮影指示信号入力１０８よりフォーカスやズームを制御する信号を入力して、カメラサブユニット制御信号入力回路１０６を通じてカメラモードマイコン１０５に送り、その指示信号に従ってレンズユニット１０１のフォーカスやズームを制御する。
【００１１】
シャッタ操作とシャッタ速度の制御も同様に、撮影のために撮影者が押した図示されていないシャッタボタンからの信号を撮影指示信号入力１０８からカメラサブユニット制御信号入力回路１０６を通じてカメラモードマイコンに送り、その信号に応じてシャッタユニット１０２を指示されたシャッタ速度で動作させてＣＣＤユニット１０３に露光される画像の明るさを制御する。ただし、ここでは絞り機構は省略している。
【００１２】
撮像したテレビジョン信号として取り込む画像データを線順次走査（Ｐｒｏｇｒｅｓｓｉｖｅ  Ｓｃａｎ）方式にするか、飛越走査（Ｉｎｔｅｒｌａｃｅ  Ｓｃａｎ）方式にするかを、スイッチ１０７の切り替えによって切り替え信号をカメラサブユニット制御信号入力回路１０６を通じてカメラモードマイコン１０５に送る。カメラモードマイコン１０５は切り替え信号に応じてＣＣＤ１０３及び撮像信号処理回路１０４を制御することにより、いずれかの走査方式を用いてテレビジョン画像が取り込まれる。
【００１３】
取り込まれた画像データは、映像信号記録処理回路１１２に送られて記録するための信号処理が施され、記録装置１１３に送られて記録媒体に記録される。
このとき、取り込まれた画像データは、同時に映像信号合成回路１１５に送られる。ここでは、カメラモードマイコン１０５から指示される各撮影モードをビューファインダに表示するためにキャラクタコード発生回路１１４から出力された絵記号や文字を、撮影された画像データと合成してビューファインダ表示装置１１６に送り、ビューファインダに表示する。
【００１４】
次に、本発明のポイントであるスピードライトの発光方法について説明する。撮像走査方式切り替えスイッチ１０７で切り替え、カメラサブユニット制御信号入力回路１０６を経て送られてきた各走査方式を示す信号に応じてカメラモードマイコン１０５は、スピードライト１１１の発光回数を１フレームに１回にするか、フィールドずつ１回で１フレーム２回とするかを指示する信号をスピードライト制御回路１１０に送る。
【００１５】
このとき、線順次走査方式によって画像が撮像されるときは、図２（ａ）に示されるタイミングでシャッタ動作によるＣＣＤ露光に同期した発光動作をスピードライト１１１が行えるように、カメラモードマイコン１０５からスピードライト制御回路１１０に発光を指示する信号を送る。
一方、飛越走査方式によって画像が撮像されるときは、図２（ｃ）に示されるタイミングでシャッタ動作によるＣＣＤ露光に同期した発光動作をスピードライト１１１が行えるように、カメラモードマイコン１０５からスピードライト制御回路１１０に発光を指示する信号を送る。
【００１６】
また、撮像走査方式切り替えスイッチ１０７の状態によって、カメラモードマイコン１０５からそれに応じた信号をキャラクタコード発生回路１１４に送り、例えば線順次走査方式のときは図３（ａ）の４０１に示されるような記号が、また飛越走査方式のときは図３（ｂ）の４０２に示されるような記号がビューファインダ上に表示されるようにキャラクタコード発生回路１１４は絵記号を表わす信号を発生させる。
【００１７】
さらに、スピードライト使用を指示する信号を撮影指示信号入力１０８より受けたときも、カメラモードマイコン１０５の制御により、線順次走査方式のときは図３（ｃ）の４０３に示されるような記号が、また飛越走査方式のときは図３（ｄ）の４０４に示されるような記号がビューファインダ上に表示されるようにキャラクタコード発生回路１１４は絵記号を表わす信号を発生させる。
さらに、スピードライト１１１が充電中で発光準備期間にあるときは、図３（ｃ）の４０３や図３（ｄ）の４０４の記号を点滅させることによって発光準備期間であることを表示する。これによって撮影者のビデオカメラの操作感を向上させることができる。
【００１８】
以上のようにして本実施の形態では、１フレーム分の画像を線順次走査で撮影するモードと飛越し走査で撮影するモードとが切り替え可能なビデオカメラシステムにおいて、各走査方式の切り替えに応じて調光用スピードライトの発光方式を切り替えることにより、いずれの走査方式で取り込んだ１フレームのスチル画像に対しても、スピードライトの照明効果を安定させることができる。
【００１９】
次に、本発明の第２の実施の形態を図４及び図５に示す。図４はビデオカメラ内部のシステムを示す図であり、図５はビデオカメラよりＩＥＥＥ１３９４規格に準拠したディジタル通信線で繋がれたコンピュータによってビデオカメラを制御して、撮像した画像をビデオカメラの記録媒体やコンピュータの記録メディアに記録するビデオカメラシステム全体の構成を示した図である。
【００２０】
図５において、ビデオカメラ３０１を本発明による外部制御装置としてのコンピュータ３０２から操作するときは、コンピュータにインストールされているアプリケーションソフトによってビデオカメラ３０１を制御するコマンドを発生させる。そして、ディジタル通信線３０３を介してＩＥＥＥ１３９４の非同期伝送のライトトランザクションでコマンドをビデオカメラ３０１に送り、コマンドを受けたビデオカメラ３０１内のカメラモードマイコン２０５（図４）が各部の動作を制御する。その後、コンピュータ３０２からのコマンドによって制御されたビデオカメラ３０１は、制御が行われたレスポンス信号をコンピュータ３０２に送り、コンピュータ３０２は付属のモニタにその結果を表示する。
【００２１】
このディジタル通信線３０３で用いられているＩＥＥＥ１３９４規格は「ＩＥＥＥ１３９４−１９９５Ｓｔｄ」で物理レイヤ、リンクレイヤ、トランザクションレイヤが規定され、その上位レイヤとして「ＩＥＣ６１８８３ＣＤＶ」に機器制御を行うＦＣＰ（Ｆａｎｃｔｉｏｎ  Ｃｏｎｔｒｏｌ  Ｐｒｏｔｏｃｏｌ）が規定されている。この中で制御する側をコントローラ、制御される側をターゲットと呼び、ここではコンピュータ３０２がコントローラ、ビデオカメラ３０１がターゲットとなる。
【００２２】
このＦＣＰの中では、特に民生用デジタルビデオカメラで採用されているＡＶ／Ｃ（Ａｕｄｉｏ  Ｖｉｄｅｏ  Ｃｏｎｔｒｏｌ）ブロトコルで規定されているＣＴＳ（Ｃｏｍｍａｎｄ  ａｎｄ  Ｔｒａｎｓａｃｔｉｏｎ  Ｓｅｔ）コマンドが準備されている。ビデオカメラ３０１のＣＴＳには、制御するためのコントロールコマンド、ビデオカメラの動作状態を問い合わせるステータスコマンド、動作状態の変化を問い合わせるノーティファイコマンドがある。
【００２３】
図４において、上記ＩＥＥＥ１３９４のディジタル通信線３０３を介して送信されてきたコマンド信号は、ビデオカメラ３０１のＩＥＥＥ１３９４信号入出力端子２１９から入力され、ＩＥＥＥ１３９４ディジタルインターフェース２１７に送られる。ここでＣＴＳコマンドが検出され、カメラモードマイコン２０５はこのＣＴＳコマンドに応じて、ビデオカメラに内蔵されている撮像部であるカメラサブユニット１００２内のレンズユニット２０１、シャッタユニット２０２、ＣＣＤユニット２０３、撮像信号処理回路２０４などの各ユニットの制御を行う。
【００２４】
カメラサブユニット１００２には、各制御コマンドとして、表１に示されるコントロールコマンド、表２に示されるステータスコマンド、表３に示されるノーティファイコマンドがそれぞれ準備されている。
【００２５】
【表１】
0004235281.tif 000002
【００２６】
【表２】
0004235281.tif 000003
【００２７】
【表３】
0004235281.tif 000004
【００２８】
図６、図７は、コントローラであるコンピュータ３０２のモニタ画面の一例を表わしたものである。画面内には、ビデオカメラ３０１から伝送されてきた画像５０１が表示されていて、各種のコントロールスイッチ５０２〜５１９が配置されている。ユーザは図示されたようなグラフィック・ユーザインターフェースを提供されることで、ビデオカメラの画像を見ながらこれらのコントロールスイッチを操作し、アプリケーションソフトが各種コマンドをコンピュータから出力して、ビデオカメラを制御することができる。
【００２９】
また、ビデオカメラ側にもコンピュータのモニタと同様な表示を行うプレビューファインダを装備しており、図４の２１４〜２１６の経路で画像や制御記号が図３のように表示される。これは第１の実施の形態と同様の仕様であるので、詳細な説明は省略する。
【００３０】
次に、カメラサブユニット１００２のカメラモードマイコン２０５が各種コマンドによってどのような動作をするかについて述べる。
まずレンズユニット２０１、シャッタユニット２０２、ＣＣＤユニット２０３、撮像信号処理回路２０４のそれぞれの動作状態、例えばレンズユニット２０１ならフォーカスや焦点距離やＦ値など、シャッタユニット２０２ならシャッタ速度など、ＣＣＤと撮像信号処理回路２０４なら線順次走査撮影か飛越走査撮影かのモードなどが挙げられるが、それらの状態は、あらかじめコンピュータ３０２からアプリケーションソフトによって定期的に発信されるステータスコマンドによって、カメラモードマイコン２０５がそれぞれのユニットにアクセスして状態を参照し、レスポンス信号をコンピュータに返し、コンピュータ上にその状態を表示することでユーザが把握することができる。
【００３１】
線順次走査による撮影か飛越走査による撮影かを切り替える動作については、コンピュータ３０２から各走査線の撮影モードを問い合わせるステータスコマンド（表２の「Ｓｃａｎ  Ｍｏｄｅ」２０００１）をアプリケーションソフトによってビデオカメラ３０１に送信すると、図４のＩＥＥＥ１３９４信号入出力回路２１９からビデオカメラ３０１に入力されたコマンド信号は、ＩＥＥＥ１３９４ディジタルインターフェース２１７でＣＴＳコマンドとして受信され、カメラサブユニット１００２のカメラモードマイコン２０５に送られる。
【００３２】
このステータスコマンドによってカメラモードマイコン２０５は、ＣＣＤユニット２０３や撮像信号処理回路２０４の撮像方式の状態を調べて、線順次走査の撮影方式の状態であるか飛越走査の撮影方式の状態であるかをレスポンスコマンドとしてＩＥＥＥ１３９４ディジタルインターフェース２１７より発信させて、コントローラであるコンピュータに状態を知らせる信号を返す。
【００３３】
このカメラサブユニット１００２の状態をコンピュータに付属するモニタに表示した一例は図６、図７である。図６（ａ）の５１５は線順次走査による撮影方式の状態になっているときを示し、図６（ｂ）の５１７は飛越走査による撮影方式の状態になっているときを示す。
この他のフォーカスやズームや露出制御の状態も、同様にコントローラであるコンピュータから定期的にステータスコマンドを発信して問い合わせて、モニタに表示する。このようにして、撮影を行う者はコンピュータ３０２のモニタから、ビデオカメラ３０１の撮影状態を常に把握することができる。
【００３４】
また、これらのカメラサブユニット１００２の撮影モードの切り替え、フォーカス、ズーム、露出の制御を行うときは、モニタ上の各種スイッチをコンピュータ付属のマウスポインタでクリックすることで、アプリケーションソフトは、各制御のコントロールコマンドを発信する。
【００３５】
例えば、走査方式の撮影モードを線順次走査から飛越走査に切り替えるときは、図６（ａ）でのモニタ上の５１５の表示をクリックすることにより、アプリケーションソフトは表１コントロールコマンドのうちの「ＳＣＡＮ  ＭＯＤＥ」１０００１コマンドを発信する。このコマンドを図４のビデオカメラのＩＥＥＥ１３９４信号入出力２１９を通じてＩＥＥＥ１３９４ディジタルインターフェース２１７で受信して、ＣＴＳコマンドとしてカメラサブユニット１００２内のカメラモードマイコン２０５に送る。そして、カメラモードマイコン２０５は、ＣＣＤユニット２０３及び撮像信号処理回路２０４の各ユニットの撮像方式の状態を線順次走査方式から飛越走査方式に切り替え、切り替えが完了したらレスポンス信号をコンピュータ側に返送する。
【００３６】
このコントロールコマンドが発信され、撮影時の走査方式が切り替えられた直後にコンピュータから送信されたステータスコマンドに対するレスポンス信号によって、コンピュータ３０２のモニタ上の表示は、図６（ａ）の５１５から（ｂ）の５１７に変化する。
撮影時は、モニタ上の図６のシャッタボタン５１４をクリックすることで、コンピュータ３０２より撮影指示コマンドが発信され、このコマンドによりカメラモードマイコン２０５は、カメラサブユニット１００２内の各部を動作させて１フレーム分のスチル撮影を行う。
【００３７】
撮影されたテレビジョン信号は、撮像信号処理回路２０４からＩＥＥＥ１３９４ディジタルインターフェース２１７に送られて、ＩＥＥＥ１３９４信号入出力２１９からコンピュータ３０２に送られる。このとき、撮影されたベースバンド信号をそのままコンピュータ３０２に撮り込むときは２２２の経路を用い、記録装置２１３に記録されるフォーマットと同じフォーマットの信号、（例えばＤＶ圧縮方式）に変換して送信する場合は、映像信号記録処理回路２１２を経由した２２１の経路を用いて送信する。
【００３８】
次に、本発明のポイントであるスピードライトの発光について説明する。まず、撮影者のモニタ上の図６の５１６のボタンのクリック操作、あるいはステータスコマンドのうちの自動露出モード（表２「ＡＥ  ＭＯＤＥ」２０００１）、シャッタスピード（表２「ＳＨＵＴＩＥＲ」２０００４）、絞り（表２「ＩＲＩＳ」２０００２）などからの演算結果により、自動的にスピードライトによる調光を指示された場合、スピードライトを発光させるコントロールコマンド（表１「ＶＩＤＥＯ  ＬＩＧＨＴ／ＳＴＲＯＢＥ」１０００２）をアプリケーションが発信させる。
【００３９】
これをＩＥＥＥ１３９４信号入出力２１９、ＩＥＥＥ１３９４ディジタルインターフェース２１７を通じて受信したカメラモードマイコン２０５は、スピードライト制御回路２１０にスピードライト２１１が発光できるように充電動作を制御する。このとき、コンピュータ３０２より発信されたステータスコマンド（表２「ＶＩＤＥＯ  ＬＩＧＨＴ／ＳＴＲＯＢＥ」２０００５）に対するカメラモードマイコン２０５からのレスポンス信号により、コンピュータのモニタ上には、線順次走査による撮影方式のときは図７（ａ）の５１８、飛越走査による撮影方式のときは図７（ｂ）の５１９のように表示される。
【００４０】
また、ステータスコマンドに対するレスポンス信号が「充電中」で撮影不可能な状態にあることが示されているときは、これらの表示を点滅させることによって、撮影者に表示することができる。またこのときコマンド操作については、ノーティファイコマンド（表３「ＶＩＤＥＯ  ＬＩＧＨＴ／ＳＴＲＯＢＥ」３０００１）を発信させ、スピードライト２１１が充電中から撮影可能状態に移行したことを示すレスポンス信号をカメラモードマイコン２０５がコンピュータに返信することで、同様の表示を行うこともできる。
【００４１】
そして撮影時に、モニタ上の図６のシャッタボタン５１４をクリックしたとき、コンピュータより撮影指示コマンドが発信され、このコマンドによりカメラモードマイコン２０５は、スピードライト制御回路２１０に対して撮影時の撮像走査方式がいずれであるかを示す信号を送り、それに対してスピードライト制御回路２１０は、図２に示されるように、撮影モードが線順次走査方式である場合は、１フレームの撮像に対して１回の発光動作を（図２（ａ））、飛越走査方式の場合は２フィールドのそれぞれに対して１回ずつの発光動作を（図２（ｃ））行うようにスピードライト２１１を制御する。
【００４２】
以上のように本実施の形態では、１フレーム分の画像を線順次走査で撮影するモードと飛越し走査で撮影するモードとを備えるビデオカメラシステムにおいて、各走査方式の切り替え状態を記録保持しているレジスタを参照し、それに応じてそれぞれの走査方式で撮影するときに同調させる調光用スピードライトの発光方式を切り替えることにより、いずれの走査方式で取り込んだ１フレームのスチル画像に対しても、スピードライトの発光効果を安定させることができる。
特に、線順次走査方式のときは１フレームに１回発光させ、飛び越し走査方式のときは１フィールドで１回ずつ発光させることにより、従来のように飛び越し走査方式のときに、発光しているフィールドの画像と発光していないフィールドの画像とが１フレーム内に混在して画像が乱れることをなくすことができる。
また、コンピュータ等の外部機器を接続して信号を送受信することにより、撮像方式の選択、制御や発光手段の使用の指示等を外部機器から行うようにすることができる。
【００４３】
尚、図１、図４の各機能ブロックによるシステムは、ハード的に構成してもよく、また、ＣＰＵやメモリ等から成るマイクロコンピュータシステムに構成してもよい。コンピュータシステムに構成する場合、上記メモリは本発明による記憶媒体を構成する。この記憶媒体には、前述した動作を制御するための処理手順を実行するためのプログラムが記憶される。
【００４４】
また、この記憶媒体としては、ＲＯＭ、ＲＡＭ等の半導体メモリ、光ディスク、光磁気ディスク、磁気媒体等を用いてよく、これらをＣＤ−ＲＯＭ、フロッピディスク、磁気媒体、磁気カード、不揮発性メモリカード等に構成して用いてよい。
【００４５】
従って、この記憶媒体を図１、図４に示したシステム以外の他のシステムあるいは装置で用い、そのシステムあるいはコンピュータがこの記憶媒体に格納されたプログラムコードを読み出し、実行することによっても、前述した各実施の形態と同等の機能を実現できると共に、同等の効果を得ることができ、本発明の目的を達成することができる。
【００４６】
また、コンピュータ上で稼働しているＯＳ等が処理の一部又は全部を行う場合、あるいは、記憶媒体から読み出されたプログラムコードが、コンピュータに挿入された拡張機能ボードやコンピュータに接続された拡張機能ユニットに備わるメモリに書き込まれた後、そのプログラムコードの指示に基づいて、上記拡張機能ボードや拡張機能ユニットに備わるＣＰＵ等の処理の一部又は全部を行う場合にも、各実施の形態と同等の機能を実現できると共に、同等の効果を得ることができ、本発明の目的を達成することができる。
【００４７】
【発明の効果】
以上説明したように、本発明によれば、撮像手段の走査方式に応じてスピードライト等の発光手段の発光を制御するように構成したことにより、走査方式にかかわらず発光手段による照明効果を常に安定させることができ、良好な画像を得ることができる。
【図面の簡単な説明】
【図１】本発明によるビデオカメラシステムの第１の実施の形態を示すブロック図である。
【図２】本発明の実施の形態と従来のビデオカメラのスピードライトの動作を説明するためのタイミングチャートである。
【図３】ビューファインダの表示の状態を示す構成図である。
【図４】本発明によるビデオカメラシステムの第２の実施の形態を示すブロック図である。
【図５】本発明によるビデオカメラシステムの第２の実施の形態を示す構成図である。
【図６】コンピュータのモニタの表示を示す構成図である。
【図７】コンピュータのモニタの他の表示を示す構成図である。
【図８】テレビの走査方式を説明するための構成図である。
【符号の説明】
１００１、１００２  カメラサブユニット
１０１、２０１  レンズユニット
１０２、２０２、シャッタユニット
１０３、２０３  ＣＣＤユニット
１０４、２０４  撮像信号処理回路
１０５、２０５  カメラモードマイコン
１０６  カメラサブユニット制御信号入力回路
１０７  撮像走査方式切替え回路
１１０、２１０  スピードライト制御回路
１１１、２１１  スピードライト
１１４、２１４  キャラクタコード発生回路
１１６、２１６  ビューファインダ表示装置
２１７  ＩＥＥＥ１３９４ディジタルインターフェース
２１７  ＩＥＥＥ１３９４信号入力
３０２  コンピュータ
【図１】
0004235281.tif 000005
【図２】
0004235281.tif 000006
【図３】
0004235281.tif 000007
【図４】
0004235281.tif 000008
【図５】
0004235281.tif 000009
【図６】
0004235281.tif 000010
【図７】
0004235281.tif 000011
【図８】
0004235281.tif 000012